(57)【要約】   【課題】  機器の稼働率を必要以上に低下させることなく、前記機器を構成するデバイスが定格値で作動可能なように前記デバイスの周辺環境を適切な温度に保つことができる温度管理システムを提供する。  【解決手段】  機器内部の第一の温度を検知する第一の温度検知手段５３と前記第一の温度に基づいて送風制御を行なう第一のファン５４とにより前記第一の温度制御を行なう第一の温度制御装置５５と、前記機器内部の第二の温度を検知する第二の温度検知手段５６と前記第二の温度に基づいて送風制御を行なう第二のファン５７とにより前記第二の温度制御を行なう第二の温度制御装置５８とを備え、前記第一の温度制御装置５５は、前記第二の温度検知手段５６が故障したときに、前記第一の温度検知手段５３により検知された第一の温度に基づいて前記第二のファン５７の送風制御をも実施する。  【選択図】  図１
2006301086.tif 000002
【特許請求の範囲】
【請求項１】
機器内部の第一の温度を検知する第一の温度検知手段と前記第一の温度検知手段により検知された第一の温度に基づいて送風制御を行なう第一のファンとにより前記第一の温度制御を行なう第一の温度制御装置と、前記機器内部の第二の温度を検知する第二の温度検知手段と前記第二の温度検知手段により検知された第二の温度に基づいて送風制御を行なう第二のファンとにより前記第二の温度制御を行なう第二の温度制御装置とを備え、前記機器内部の温度管理を実施する温度管理システムであって、
前記第一の温度制御装置と前記第二の温度制御装置とが、互いに共通の空間における異なる領域での温度制御を行なうとともに、前記第一の温度制御装置は、前記第二の温度検知手段が故障したときに、前記第一の温度検知手段により検知された第一の温度に基づいて前記第二のファンの送風制御をも実施する温度管理システム。
【請求項２】
前記第二の温度検知手段が故障した場合において、前記第一の温度制御装置は、前記第一の温度検知手段により検知される第一の温度が前記第一のファンにより送風を開始してから第一の所定時間経過しても所定温度まで低下しないときに、前記第二のファンによる送風を開始する請求項１に記載の温度管理システム。
【請求項３】
前記第二の温度検知手段が故障した場合において、前記第二のファンによる送風を開始した後に第二の所定時間経過しても、前記第一の温度検知手段により検知される第一の温度が前記所定温度まで低下しないときに、前記機器に警告を通知する請求項２に記載の温度管理システム。
【請求項４】
請求項３に記載の温度管理システムを備え、前記温度管理システムにより通知される警告に基づいて動作を停止する機器。
【発明の詳細な説明】
【技術分野】
【０００１】
本発明は、複数の温度制御装置を備えた温度管理システム及び前記温度管理システムを備えた機器に関する。
【背景技術】
【０００２】
従来、機器を構成する主要部または主要領域に温度を検知する温度検知手段と送風制御を行なうファンとからなる温度制御装置を設置し、前記温度検知手段により検知された温度に基づいて前記ファンにより送風制御を行なうことで、前記機器が作動することにより発生する熱で当該機器の温度が異常に上昇すること防止していた。つまり、前記機器を構成するデバイスが定格値で作動し続けることが可能なように、前記デバイス周辺の温度制御が行なわれていた。
【０００３】
また、通常、前記機器は、複数のデバイスから構成されるため、所定サイズのデバイス設置領域が必要となるため、前記機器における特定領域毎に前記温度制御装置が設置され、各デバイスの周辺環境が適切な温度に保たれるように温度制御が行なわれていた。
【０００４】
また更には、前記各温度制御装置の何れかの温度検知手段が故障したときには、ユーザに前記温度検知手段が故障した旨の通知を行なうとともに、前記機器の動作を停止していた。
【特許文献１】特開平５−１６４４５０号公報
【特許文献２】特開平６−６７４８５号公報
【特許文献３】特開平１０−２４０１３９号公報
【発明の開示】
【発明が解決しようとする課題】
【０００５】
しかし、上述の温度検知手段は、あくまでも、前記デバイスが定格値で作動するように前記デバイスの周辺環境を適切な温度に保つために設置されているものであり、前記温度検知手段が故障した時点では、必ずしも前記デバイスの周辺環境が異常な高温状態に陥っている訳ではない。つまり、何れかの温度制御装置における温度検知手段が故障する度に前記機器の動作を停止した場合には、前記デバイスの周辺環境が、前記デバイスが定格値で作動可能な温度であるにもかかわらず、または、前記デバイスが定格値で作動不可能となるような異常な高温状態になると予測された状態でないにもかかわらず、前記機器の動作を停止させることとなり、前記機器の稼働率を必要以上に低下させてしまうという問題が生じていた。
【０００６】
本発明は、従来欠点に鑑み、機器の稼働率を必要以上に低下させることなく、前記機器を構成するデバイスが定格値で作動可能なように前記デバイスの周辺環境を適切な温度に保つことができる温度管理システム及び温度管理システムを備えた機器を提供する点にある。
【課題を解決するための手段】
【０００７】
上述の目的を達成するため、本発明による温度管理システムの第一の特徴構成は、特許請求の範囲の書類の請求項１に記載した通り、機器内部の第一の温度を検知する第一の温度検知手段と前記第一の温度検知手段により検知された第一の温度に基づいて送風制御を行なう第一のファンとにより前記第一の温度制御を行なう第一の温度制御装置と、前記機器内部の第二の温度を検知する第二の温度検知手段と前記第二の温度検知手段により検知された第二の温度に基づいて送風制御を行なう第二のファンとにより前記第二の温度制御を行なう第二の温度制御装置とを備え、前記機器内部の温度管理を実施する温度管理システムであって、前記第一の温度制御装置と前記第二の温度制御装置とが、互いに共通の空間における異なる領域での温度制御を行なうとともに、前記第一の温度制御装置は、前記第二の温度検知手段が故障したときに、前記第一の温度検知手段により検知された第一の温度に基づいて前記第二のファンの送風制御をも実施する点にある。
【０００８】
上述の構成によれば、前記第一の温度制御装置と前記第二の温度制御装置とは、互いに共通の空間における異なる領域での温度制御を行なうため、例えば、前記第一の温度制御装置は、前記第二の温度制御装置が温度制御を行なう領域の温度制御を間接的に行なうことになるのである。つまり、前記第一の温度検知手段により検知される第一の温度と前記第二の温度検知手段により検知される第二の温度とは、前記第一の温度検知手段が設置される領域の第一の温度と前記第二の温度検知手段が設置される領域の第二の温度とが相互に影響を与えた温度となっているのである。また、前記第二の温度検知手段が故障したときに、前記第一の温度制御装置が前記第一の温度検知手段により検知された第一の温度に基づいて前記第一のファンの送風制御を実施しつつ、前記第二のファンの送風制御をも実施し、かつ、上述のように、前記第一の温度検知手段により検知される第一の温度が前記第二の温度検知手段の設置されていた領域の第二の温度に影響される温度であるため、前記第二の温度検知手段が故障しても、前記第一の温度制御装置により引き続き前記第二の温度制御装置が温度制御を行なっていた領域の温度制御をも前記第一の温度に基づいて実施することが可能となるのである。つまり、例えば、複写機やその他の機器を構成する各デバイスの夫々に当該温度管理システムにおける前記第一の温度制御装置及び第二の温度制御装置が適用される場合には、前記第二の温度検知手段が故障しても、引き続き前記複写機やその他の機器を構成するデバイスが定格値で作動可能なように前記デバイス周辺の温度環境を適切な温度に保つことができるため、前記第二の温度検知手段の故障により前記複写機やその他の機器を停止させる必要がなくなり、前記複写機やその他の機器の稼働率を必要以上に低下させることのない温度管理システムとすることができるのである。
【０００９】
同第二の特徴構成は、同請求項２に記載した通り、上述の第一の特徴構成に加えて、前記第二の温度検知手段が故障した場合において、前記第一の温度制御装置は、前記第一の温度検知手段により検知される第一の温度が前記第一のファンにより送風を開始してから第一の所定時間経過しても所定温度まで低下しないときに、前記第二のファンによる送風を開始する点にある。
【００１０】
上述の構成によれば、前記第一の温度制御装置は、前記第一のファンによる送風制御のみで温度制御が可能なときには、前記第二のファンによる送風を開始しないのである。つまり、必要以上に電力を消費することなく、機器を構成するデバイスが定格値で作動可能なように前記デバイス周辺の温度環境を適切な温度に保つことができる温度管理システムとなるのである。
【００１１】
同第三の特徴構成は、同請求項３に記載した通り、上述の第二の特徴構成に加えて、前記第二の温度検知手段が故障した場合において、前記第二のファンによる送風を開始した後に第二の所定時間経過しても、前記第一の温度検知手段により検知される第一の温度が前記所定温度まで低下しないときに、警告を通知する点にある。
【００１２】
上述の構成によれば、例えば、前記デバイスが定格値で作動不可能となるような異常な高温状態になると予測された状態になったときに警告を通知するため、当該温度管理システムが適用された機器が故障する前に、前記機器を停止する等の処置を行なうことが可能となるのである。つまり、機器を停止する必要が生じたときには、確実に前記機器を停止させることが可能な温度管理システムとなるのである。
【００１３】
上述の目的を達成するため、本発明による温度管理システムを備えた機器の第一の特徴構成は、同請求項４に記載した通り、上述の第三の特徴構成の温度管理システムを備え、前記温度管理システムにより通知される警告に基づいて動作を停止する点にある。
【００１４】
上述の構成によれば、当該機器を構成するデバイスが定格値で作動不可能となるような異常な高温状態になると予測された状態になったときに、前記温度管理システムから警告が通知されるため、前記警告に基づいて当該機器が故障する前に当該機器を停止することで、当該機器の故障を未然に防止することができるのである。
【発明の効果】
【００１５】
以上説明した通り、本発明によれば、機器の稼働率を必要以上に低下させることなく、前記機器を構成するデバイスが定格値で作動可能なように前記デバイスの周辺環境を適切な温度に保つことができる温度管理システム及び温度管理システムを備えた機器を提供することができるようになった。
【発明を実施するための最良の形態】
【００１６】
以下に本発明による温度管理システムをデジタル複写機１に適用した場合の実施形態について説明する。前記デジタル複写機１は、図２に示すように、各種の複写モードを設定する複写モード設定キーや設定された複写モードで複写動作を起動するプリントキーなどが配置された操作パネル部２と、原稿載置部３にセットされた一連の原稿を順次読込んで電子データに変換する画像読取部４と、前記画像読取部４の下部に設けられ、前記画像読取部４によって電子データに変換された画像データに基づいて用紙上にトナー像を形成して出力する電子写真方式の画像形成部５と、それぞれ異なるサイズまたは種類の用紙が収容された複数の給紙カセット６（６ａ〜６ｄ）及び機械左側部に設けられた手差し給紙口（図示せず）を備えて構成されている。
【００１７】
前記操作パネル部２の回路構成は、図３に示すように、前記操作パネル部２に設けられた各種のキーやカラー液晶表示部２０に対する入出力制御を実行するとともに上述の画像読取部４及び画像形成部５の制御用ＣＰＵに対して設定された複写モードデータ等を送信するＣＰＵ２００と、ＣＰＵ２００による実行プログラムが格納されたＲＯＭ２１０と、ワーキングエリアとして使用される不揮発性のＲＡＭ２２０と、複数種類の入出力回路２３０とが内部バスを介して接続されている。前記入出力回路２３０には、前記カラー液晶表示部２０のドライバ回路２０ａに表示データを供給する表示バッファ２３１、前記カラー液晶表示部２０の表面に形成された透明電極シートスイッチに対する入力回路２３２、各種のキー入力を受け付けるキーマトリクス入力回路２３３、前記画像読取部４と接続するスキャナインターフェース回路２３４、外部のパーソナルコンピュータを接続するインターフェース回路２３５、メディアドライバ２３６、ハードディスクユニット２３８と接続するインターフェース回路２３７等を備えて回路ユニット５１として構成され、図２に示すように、当該デジタル複写機１の外枠５０に覆われた回路ユニット設置部５２に設置されている。
【００１８】
ここで、本発明による温度管理システムは、発熱デバイスがマウントされた各種の回路ユニット、例えばトランスで降圧されたＡＣ２６Ｖの低圧交流電源からモータやソレノイド等の各種のアクチュエータを駆動するためのＤＣ２４Ｖの低圧直流電源に変換する直流電源回路ユニット等が設置されるような回路ユニット設置部の温度管理に広く適用されるもので、以下では、一例として前記回路ユニット５１に形成された前記種々の回路を構成するデバイスが定格値で作動可能なように前記回路ユニット５１が設置された前記回路ユニット設置部５２の温度管理に適用される場合を説明する。
【００１９】
前記温度管理システムは、図４（ａ）、図４（ｂ）に示すように、当該デジタル複写機１の外枠５０に覆われた回路ユニット設置部５２としての当該デジタル複写機１の内部空間を、凡そ第一の領域Ｅ１と第二の領域Ｅ２とに見立て、前記第一の領域Ｅ１に、前記第一の領域Ｅ１の温度（以下「第一の温度Ｔ１」と記す）を検知する第一の温度検知手段５３と前記第一の温度検知手段５３により検知された第一の温度Ｔ１に基づいて前記第一の領域Ｅ１に対して送風制御を行なう第一のファン５４とからなる第一の温度制御装置５５を備え、また、前記第二の領域Ｅ２に、前記第二の領域Ｅ２の温度（以下「第二の温度Ｔ２」と記す）を検知する第二の温度検知手段５６と前記第二の温度検知手段５６により検知された第二の温度Ｔ２に基づいて前記第二の領域Ｅ２に対して送風制御を行なう第二のファン５７とからなる第二の温度制御装置５８を備え、更に、前記第一の温度制御装置５５と前記第二の温度制御装置５８とを制御する制御部５９を備えて構成されている。
【００２０】
前記回路ユニット設置部５２が形成される当該デジタル複写機１の外枠５０には、前記第一のファン５４または前記第二のファン５７による送風制御、つまり、前記回路ユニット設置部５２の排熱効果が有効に実施されるように、前記夫々のファンの設置部に排気口６０、６１が形成され、また、前記第一のファン５４または前記第二のファン５７の設置部とは異なる位置に、例えば、前記排気口６０、６１との凡そ中間位置に送風口６２、６３が形成されている。
【００２１】
つまり、前記第一のファン５４及び前記第二のファン５７は、前記回路ユニット５１により発生する熱気を前記回路ユニット設置部５２から前記排気口６０、６１を介して排気し、前記排気により発生する前記回路ユニット設置部５２と外部との気圧差により、前記送風口６２、６３を介して外部の冷気を前記回路ユニット設置部５２内に送風するように構成されている。
【００２２】
前記温度検知手段５３及び前記温度検知手段５６は、例えば、温度が変化することにより抵抗値が変化することを利用した温度センサとしてのサーミスタ等により構成されている。
【００２３】
前記制御部５９は、各機能ブロックを制御するＣＰＵと、ＣＰＵの実行プログラムを格納するメモリなどを備えて構成されている。尚、前記制御部５９は、前記操作パネル部２の回路が構成されている前記回路ユニット５１に一体的に形成されていてもよい。
【００２４】
前記回路ユニット設置部５２の温度管理にかかる機能ブロック構成は、図１に示すように、前記第一の温度検知手段５３により検知された第一の温度Ｔ１に基づいて前記第一のファン５４の送風制御を行なう第一のコントローラ６４と、前記第二の温度検知手段５６により検知された第二の温度Ｔ２に基づいて前記第二のファン５７の送風制御を行なう第二のコントローラ６５と、前記第一の温度検知手段５３及び前記第二の温度検知手段５６の状態を検出する故障状態検出手段６６とを備えて構成されている
前記故障状態検出手段６６は、前記第一の温度検知手段５３及び前記第二の温度検知手段５６が故障しているか否かの検出を行うもので、前記第一の温度検知手段５３からの第一の温度検知信号が、例えば、断線等により途絶えたような場合に、第一フラグＦ１をセットするように、また、前記第二の温度検知手段５６からの第二の温度検知信号が、同じく断線等により途絶えたような場合に、第二フラグＦ２をセットするように構成されている。
【００２５】
つまり、前記故障状態検出手段６６の動作について、図５に示すフローチャートに基づいて説明すると、前記第一の温度検知手段５３からの第一の温度検知信号が検出できれば（ＳＡ１）、前記第一のフラグＦ１をリセットし（ＳＡ２）、前記第一の温度検知手段５３からの第一の温度検知信号が検出できなければ（ＳＡ１）、前記第一のフラグＦ１をセットする（ＳＡ３）。
【００２６】
また、前記第一の温度検知手段５６からの第二の温度検知信号が検出できれば（ＳＡ４）、前記第二のフラグＦ２をリセットし（ＳＡ５）、前記第二の温度検知手段５６からの第二の温度検知信号が検出できなければ（ＳＡ４）、前記第一のフラグＦ２をセットする（ＳＡ６）。
【００２７】
尚、前記故障状態検出手段６６は、前記第一の温度検知手段５３または前記第二の温度検知手段５６の何れかが故障していることを検知した場合には、前記デジタル複写機１にその旨を通知する構成としてもよい。つまり、前記デジタル複写機１は、前記通知に基づいてユーザにその旨の通知を行う構成としてもよい。
【００２８】
前記第一のコントローラ６４は、前記第一フラッグＦ１がセットされていないときに、前記第一の温度検知手段５３により検知された第一の温度Ｔ１に基づいて前記第一のファン５４の送風制御を行なうように構成されている。つまり、前記第一の温度Ｔ１が予め設定されている第一の所定温度Ｔｔｈ１まで上昇したときに、前記第一のファン５４による送風を開始し、前記第一の温度Ｔ１が予め設定されている第一の目標温度Ｔｘ１まで低下したときに、前記第一のファン５４による送風を停止するように構成されている。
【００２９】
また、前記第一のコントローラ６４は、前記第一フラッグＦ１がセットされてなく、かつ、前記第二フラッグＦ２がセットされているときに、前記第一の温度検知手段５３により検知された第一の温度Ｔ１に基づいて前記第一のファン５４及び前記第二のファン５７の送風制御を行なうように構成されている。つまり、前記第一の温度Ｔ１が前記第一の所定温度Ｔｔｈ１まで上昇したときに、前記第一のファン５４による送風を開始し、前記第一の温度Ｔ１が前記第一の目標温度Ｔｘ１まで低下したときに、前記第一のファン５４による送風を停止するように構成され、また、前記第一のファン５４による送風を開始し、前記第一のファン５４による送風が開始されてからの時間Ｊ１が予め設定されている第一の所定時間Ｊｔｈ1を経過しても、前記第一の温度Ｔ１が前記第一の目標温度Ｔｘ１まで低下しないときに、前記第二のファン５７による送風をも開始し、前記第一の温度Ｔ１が前記第一の目標温度Ｔｘ１まで低下したときに、前記第一のファン５４による送風を停止するとともに前記第二のファン５７による送風をも停止するように構成されている。更に、上述したように、前記第一のファン５４の送風を開始し、尚且つ、その後、前記第二のファン５７による送風を開始したときに、前記第一のファン５４による送風が開始されてからの時間Ｊ１が予め設定されている第二の所定時間Ｊｔｈ２を経過しても、前記第一の温度Ｔ１が前記第一の目標温度Ｔｘ１まで低下しなければ、前記デジタル複写機１に対して警告を通知するように構成されている。ここで、前記デジタル複写機１は、前記警告に基づいてその動作を停止するように構成されている。
【００３０】
更に、前記第一のコントローラ６４は、前記第一フラッグＦ１がセットされているときには、何れのファンの送風制御をも行なわず、また、前記第一のファン５４をフリーな状態とする。つまり、前記第一のファン５４が前記第二のコントローラ６５により制御可能な状態とするように構成されている。
【００３１】
尚、前記第一のコントローラ６４は、前記第一のファン５４による送風を行なっているときには第三のフラグＦ３をセットし、前記第二のファン５７による送風を行なっているときには第四のフラグＦ４をセットすることで、当該第一のコントローラ６４による前記第一のファン５４及び前記第二のファン５７の送風制御状態が確認可能なように構成されている。
【００３２】
つまり、前記第一のコントローラ６４の動作について図６のフローチャートに基づいて説明すると、前記デジタル複写機１の電源が投入されると前記時間Ｊ１をカウントするための第一内部カウンタＪ１を０にリセットし（ＳＢ１）、前記故障検出手段６６により設定される前記第一フラグＦ１の確認を行い（ＳＢ２）、前記第一フラグＦ１がセットされているときには、前記第一のファン５４をフリーな状態とする（ＳＢ３）。また、前記第一フラグＦ１がセットされていないときには、前記第三フラグＦ３の確認を行なう（ＳＢ４）。つまり、前記第一のファン５４の送風制御の状態の確認を行なう。
【００３３】
前記第三フラグＦ３がセットされていないときには、前記第一のファン５４による送風が行なわれていないため、前記第一の温度検知手段５３により検知される第一の温度Ｔ１と前記第一の所定温度Ｔｔｈ１とを比較し（ＳＢ５）、前記第一の温度Ｔ１が前記第一の所定温度Ｔｔｈ１よりも高ければ、前記第一のファン５４により送風を開始し（ＳＢ６）、前記第三フラグＦ３をセットする（ＳＢ７）。また、前記第一の温度Ｔ１が前記第一の所定温度Ｔｔｈ１よりも低ければ、前記ステップＳＢ２へ戻る。
【００３４】
また、前記故障検出手段６６により設定される前記第二フラグＦ２の確認を行い（ＳＢ８）、前記第二フラグＦ２がセットされていないときには、前記ステップＳＢ２へ戻る。また、前記第二フラグＦ２がセットされているときには、前記第二のファン５７の送風制御をも行なうべく、前記第一内部カウンタＪ１をインクリメントする（ＳＢ９）。つまり、前記第一のファン５４による送風を開始してからの時間をカウントする。
【００３５】
前記第一内部カウンタＪ１が前記第二の所定時間Ｊｔｈ２以下で（ＳＢ１０）、更に、前記第一の所定時間Ｊｔｈ１以下のときには（ＳＢ１１）、前記ステップＳＢ２へ戻り、前記第一のファン５４のみの送風を継続する。また、前記第一の所定時間Ｊｔｈ１を超えているときには、前記第四フラグＦ４の確認を行い（ＳＢ１２）、つまり、前記第二のファン５７の送風制御状態の確認を行ない、前記第四フラグＦ４がセットされていなければ、前記第二のファン５７による送風を開始し（ＳＢ１３）、前記第四フラグＦ４をセットする（ＳＢ１４）。そして、前記ＳＢ２へ戻る。尚、前記第四フラグＦ４がセットされていれば、そのまま前記ステップＳＢ２へ戻る。つまり、前記第二のファン５７による送風が行なわれていなければ新たに送風を開始し、送風が既に行なわれていれば、そのまま送風を継続する。
【００３６】
前記ステップＳＢ４において、前記第三フラグＦ３がセットされているときには、前記第一のファン５４による送風が行なわれているため、前記第一の温度検知手段５３により検知される第一の温度Ｔ１と前記第一の目標温度Ｔｘ１とを比較し（ＳＢ１５）、前記第一の温度Ｔ１が前記第一の目標温度Ｔｘ１以上であれば、そのまま前記第一のファン５４による送風を継続すべく前記ステップＳＢ８へ移行する。また、前記第一の温度Ｔ１が前記第一の目標温度Ｔｘ１より低ければ、前記第一のファン５４による送風を停止し（ＳＢ１６）、前記第三フラグＦ３をリセットする（ＳＢ１７）。更に、前記第四フラグＦ４がセットされていれば（ＳＢ１８）、つまり、前記第二のファン５７による送風も行なわれていれば、前記第二のファン５７による送風を停止し（ＳＢ１９）、前記第四フラグＦ４をリセットする（ＳＢ２０）。そして、前記ステップＳＢ１へ戻る。
【００３７】
また、前記ステップＳＢ１０において、前記第一内部カウンタＪ１が前記第二の所定時間Ｊｔｈ２を超えたときには、つまり、前記第一のファン５４及び前記第二のファン５７による送風によっても、前記第一の温度Ｔ１が前記第一の目標温度Ｔｘ１よりも低くできないと判断されるときには、前記デジタル複写機１へ警告の通知を行なう（ＳＢ２１）。このとき、前記デジタル複写機１は、前記警告に基づいてその動作を停止する。
【００３８】
前記第二のコントローラ６５は、前記第二フラッグＦ２がセットされていないときに、前記第二の温度検知手段５６により検知された第二の温度Ｔ２に基づいて前記第二のファン５７の送風制御を行なうように構成されている。つまり、前記第二の温度Ｔ２が予め設定されている第二の所定温度Ｔｔｈ２まで上昇したときに、前記第二のファン５７による送風を開始し、前記第二の温度Ｔ２が予め設定されている第二の目標温度Ｔｘ２まで低下したときに、前記第二のファン５７による送風を停止するように構成されている。
【００３９】
また、前記第二のコントローラ６５は、前記第二フラッグＦ２がセットされていなく、かつ、前記第一フラッグＦ１がセットされているときに、前記第二の温度検知手段５６により検知された第二の温度Ｔ２に基づいて前記第一のファン５３及び前記第二のファン５７の送風制御を行なうように構成されている。つまり、前記第二の温度Ｔ２が前記第二の所定温度Ｔｔｈ２まで上昇したときに、前記第二のファン５７による送風を開始し、前記第二の温度Ｔ２が前記第二の目標温度Ｔｘ２まで低下したときに、前記第二のファン５７による送風を停止するように構成され、また、前記第二のファン５７による送風を開始し、前記第二のファン５７による送風が開始されてからの時間Ｊ２が予め設定されている第三の所定時間Ｊｔｈ３を経過しても、前記第二の温度Ｔ２が前記第二の目標温度Ｔｘ２まで低下しないときに、前記第一のファン５４による送風をも開始し、前記第二の温度Ｔ２が前記第二の目標温度Ｔｘ２まで低下したときに、前記第二のファン５７による送風を停止するとともに前記第一のファン５４による送風をも停止するように構成されている。更に、上述したように、前記第二のファン５７の送風を開始し、尚且つ、その後、前記第一のファン５４による送風を開始したときに、前記第二のファン５７による送風が開始されてからの時間Ｊ２が予め設定されている第四の所定時間Ｊｔｈ４を経過しても、前記第二の温度Ｔ２が前記第二の目標温度Ｔｘ２まで低下しなければ、前記デジタル複写機１に対して警告を通知するように構成されている。ここで、前記デジタル複写機１は、前記警告に基づいてその動作を停止するように構成されている。
【００４０】
更に、前記第二のコントローラ６５は、前記第二フラッグＦ２がセットされているときには、何れのファンの送風制御をも行なわず、また、前記第二のファン５７をフリーな状態とする。つまり、前記第二のファン５７が前記第一のコントローラ６４により制御可能な状態とするように構成されている。
【００４１】
尚、前記第二のコントローラ６５は、前記第二のファン５７による送風を行なっているときには第五のフラグＦ５をセットし、前記第一のファン５４による送風を行なっているときには第六のフラグＦ６をセットすることで、当該第二のコントローラ６５による前記第一のファン５４及び前記第二のファン５７の送風制御状態が確認可能なように構成されている。
【００４２】
つまり、前記第二のコントローラ６５の動作について図７のフローチャートに基づいて説明すると、前記デジタル複写機１の電源が投入されると前記時間Ｊ２をカウントするための第二内部カウンタＪ２を０にリセットし（ＳＣ１）、前記故障検出手段６６により設定される前記第二フラグＦ２の確認を行い（ＳＣ２）、前記第二フラグＦ２がセットされているときには、前記第二のファン５７をフリーな状態とする（ＳＣ３）。また、前記第二フラグＦ２がセットされていないときには、前記第五フラグＦ５の確認を行なう（ＳＣ４）。つまり、前記第二のファン５７の送風制御の状態の確認を行なう。
【００４３】
前記第五フラグＦ５がセットされていないときには、前記第二のファン５７による送風が行なわれていないため、前記第二の温度検知手段５６により検知される第二の温度Ｔ２と前記第二の所定温度Ｔｔｈ２とを比較し（ＳＣ５）、前記第二の温度Ｔ２が前記第二の所定温度Ｔｔｈ２よりも高ければ、前記第二のファン５７により送風を開始し（ＳＣ６）、前記第五フラグＦ５をセットする（ＳＣ７）。また、前記第二の温度Ｔ２が前記第二の所定温度Ｔｔｈ２よりも低ければ、前記ステップＳＣ２へ戻る。
【００４４】
また、前記故障検出手段６６により設定される前記第一フラグＦ１の確認を行い（ＳＣ８）、前記第一フラグＦ１がセットされていないときには、前記ステップＳＣ２へ戻る。また、前記第一フラグＦ１がセットされているときには、前記第一のファン５４の送風制御をも行なうべく、前記第二内部カウンタＪ２をインクリメントする（ＳＣ９）。つまり、前記第二のファン５７による送風を開始してからの時間をカウントする。
【００４５】
前記第二内部カウンタＪ２が前記第四の所定時間Ｊｔｈ４以下で（ＳＣ１０）、更に、前記第三の所定時間Ｊｔｈ３以下のときには（ＳＣ１１）、前記ステップＳＣ２へ戻り、前記第二のファン５７のみの送風を継続する。また、前記第三の所定時間Ｊｔｈ３を超えているときには、前記第六フラグＦ６の確認を行い（ＳＣ１２）、つまり、前記第一のファン５４の送風制御状態の確認を行ない、前記第六フラグＦ６がセットされていなければ、前記第一のファン５４による送風を開始し（ＳＣ１３）、前記第六フラグＦ６をセットする（ＳＣ１４）。そして、前記ＳＣ２へ戻る。尚、前記第六フラグＦ６がセットされていれば、そのまま前記ステップＳＣ２へ戻る。つまり、前記第一のファン５４による送風が行なわれていなければ新たに送風を開始し、既に送風が行なわれていれば、そのまま送風を継続する。
【００４６】
前記ステップＳＣ４において、前記第五フラグＦ５がセットされているときには、前記第二のファン５７による送風が行なわれているため、前記第二の温度検知手段５６により検知される第二の温度Ｔ２と前記第二の目標温度Ｔｘ２とを比較し（ＳＣ１５）、前記第二の温度Ｔ２が前記第二の目標温度Ｔｘ２以上であれば、そのまま前記第二のファン５７による送風を継続すべく前記ステップＳＣ８へ移行する。また、前記第二の温度Ｔ２が前記第二の目標温度Ｔｘ２より低ければ、前記第二のファン５７による送風を停止し（ＳＣ１６）、前記第五フラグＦ５をリセットする（ＳＣ１７）。更に、前記第六フラグＦ６がセットされていれば（ＳＣ１８）、つまり、前記第一のファン５４による送風も行なわれていれば、前記第一のファン５４による送風を停止し（ＳＣ１９）、前記第六フラグＦ６をリセットする（ＳＣ２０）。そして、前記ステップＳＣ１へ戻る。
【００４７】
また、前記ステップＳＣ１０において、前記第二内部カウンタＪ２が前記第四の所定時間Ｊｔｈ４を超えたときには、つまり、前記第一のファン５４及び前記第二のファン５７による送風によっても、前記第二の温度Ｔ２が前記第二の目標温度Ｔｘ２よりも低くできないと判断されるときには、前記デジタル複写機１へ警告の通知を行なう（ＳＣ２１）。このとき、前記デジタル複写機１は、前記警告に基づいてその動作を停止する。
【００４８】
以下、別の実施形態について説明する。上述では、前記回路ユニット設置部５２を第一の領域Ｅ１と第二の領域Ｅ２とに見立て、夫々に第一の温度制御装置５５と第二の温度制御装置５８とを備えた場合について説明したが、前記回路ユニット設置部５２を更に複数の領域に見立て、各領域に対応する温度制御装置を備えた構成としてもよい。何れかの温度制御装置における温度検知手段が故障した場合には、前記温度検知手段が故障した温度制御装置におけるファンが、他の何れかの温度制御装置における温度検知手段に基づいて送風制御が行なわれるように予め設定しておけばよい。より空間の広い回路ユニット設置部に対応することが可能となり、また、より発熱量の大きい回路ユニットが設置される回路ユニット設置部にも対応することが可能となる。
【００４９】
上述では、本発明の温度管理システムをデジタル複写機に適用した場合について説明したが、複数のデバイスからなる種々の機器に適用することが可能である。
【００５０】
尚、上述した実施形態は、本発明の一例に過ぎず、本発明の作用効果を奏する範囲において各ブロックの具体的構成等を適宜変更設計できることは言うまでもない。
【図面の簡単な説明】
【００５１】
【図１】温度管理にかかる機能ブロック構成の説明図
【図２】デジタル複写機の外観構成の説明図
【図３】操作パネル部の回路構成の説明図
【図４】温度管理システムの説明図であり、（ａ）は回路ユニット設置部に対する上面図、（ｂ）は回路ユニット設置部に対する正面図
【図５】故障検出手段の動作を説明するためのフローチャート
【図６】第一のコントローラの動作を説明するためのフローチャート
【図７】第二のコントローラの動作を説明するためのフローチャート
【符号の説明】
【００５２】
１：デジタル複写機
５０：外枠
５１：回路ユニット
５２：回路ユニット設置部
５３：第一の温度検知手段
５４：第一のファン
５５：第一の温度制御装置
５６：第二の温度検知手段
５７：第二のファン
５８：第二の温度制御装置
５９：制御部
６０、６１：排気口
６２、６３：送風口
６４：第一のコントローラ
６５：第二のコントローラ
６６：故障検出手段
【図１】
2006301086.tif 000003
【図２】
2006301086.tif 000004
【図３】
2006301086.tif 000005
【図４】
2006301086.tif 000006
【図５】
2006301086.tif 000007
【図６】
2006301086.tif 000008
【図７】
2006301086.tif 000009